(57)【要約】【課題】  よりユーザの利便性を向上させることが出来る放送受信装置、及び録画制御方法を提供する。【解決手段】  放送受信装置は、放送信号を受信し、受信した放送信号に所定の信号処理を施す。ユーザからの操作入力に基づいてオフタイマー機能を管理し、オフタイマー設定時刻が設定された場合、信号処理が施された出力信号の記録媒体への録画を開始するように制御する。【選択図】      図２
2010011396.tif 000002
【特許請求の範囲】
【請求項１】
放送信号を受信する受信手段と、
前記受信手段で受信した放送信号に所定の信号処理を施す信号処理手段と、
前記信号処理手段から出力された出力信号を記録媒体に録画する録画手段と、
操作入力を操作信号に変換する操作入力手段と、
前記操作入力手段からの操作信号に基づいてオフタイマー機能を管理するオフタイマー管理手段と、
前記オフタイマー管理手段によりオフタイマー設定時刻が設定された場合、前記記録手段による録画を開始するように制御するオフタイマー録画制御手段と、
を具備することを特徴とする放送受信装置。
【請求項２】
前記信号処理手段から出力される出力信号に基づいて、番組終了時刻を判別する番組判別手段をさらに具備し、
前記オフタイマー録画制御手段は、前記オフタイマー管理手段によりオフタイマー設定時刻になったと判定された時点で録画されていた番組の終了が前記番組判別手段により判別された場合、録画を終了するように制御することを特徴とする請求項１に記載の放送受信装置。
【請求項３】
前記オフタイマー録画制御手段は、録画中に前記操作入力手段により選局操作または放送受信装置をスタンバイ状態にする操作がされた場合、当該操作が行われた時点で記録媒体にオフタイマー録画されていたデータを削除することを特徴とする請求項１に記載の放送受信装置。
【請求項４】
前記オフタイマー録画制御手段は、録画中に前記操作入力手段により選局操作がされた場合、選局操作により選局された放送信号の録画を開始するように制御することを特徴とする請求項１に記載の放送受信装置。
【請求項５】
前記信号処理手段から出力される出力信号に基づいて、番組終了時刻を判別する番組判別手段と、
番組の終了が前記番組判別手段により判別された場合、録画を終了した番組のデータを記録媒体から削除するか否かを利用者に選択させる選択手段と、
をさらに具備し、
前記オフタイマー録画制御手段は、前記選択手段により録画を終了した番組のデータを記録媒体から削除することが選択された場合、録画を終了した番組のデータを記録媒体から削除するように制御することを特徴とする請求項１に記載の放送受信装置。
【請求項６】
前記信号処理手段から出力される出力信号に基づいて、番組終了時刻を判別する番組判別手段と、
番組の終了が前記番組判別手段により判別された場合、次に受信する番組を録画するか否かを利用者に選択させる選択手段と、
をさらに具備し、
前記オフタイマー録画制御手段は、前記選択手段により次に受信する番組を録画することが選択された場合、次に受信する番組を録画するように制御することを特徴とする請求項１に記載の放送受信装置。
【請求項７】
前記オフタイマー録画制御手段による録画中に前記操作入力手段により操作が入力された場合、操作信号を受信した時刻に対応する録画位置にチャプターを付加するチャプター処理手段をさらに具備することを特徴とする請求項１に記載の放送受信装置。
【請求項８】
当該放送受信装置の起動時に、前記オフタイマー録画制御手段により録画された番組が記録媒体中に存在するか否か判定し、前記オフタイマー録画制御手段により録画された番組が記録媒体中に存在する場合、前記オフタイマー録画制御手段により録画された番組が記録媒体中に存在することを利用者に通知する通知処理手段をさらに具備する請求項１に記載の放送受信装置。
【請求項９】
前記信号処理手段で所定の信号処理された放送信号に基づいて映像を表示する表示手段を備えることを特徴とする請求項１に記載の放送受信装置。
【請求項１０】
放送信号を受信する受信手段と、前記受信手段で受信した放送信号に所定の信号処理を施す信号処理手段と、前記信号処理手段から出力された出力信号を記録媒体に録画する録画手段と、操作入力を操作信号に変換する操作入力手段とを具備する放送受信装置に用いられる録画制御方法であって、
前記操作入力手段からの操作信号に基づいてオフタイマー機能を管理し、
オフタイマー設定時刻が設定された場合、前記記録手段による録画を開始するように制御する、
ことを特徴とする録画制御方法。
【発明の詳細な説明】
【技術分野】
【０００１】
本発明は、例えば、テレビ放送番組等のコンテンツを記録媒体に記録する放送受信装置、及び録画制御方法に関する。
【背景技術】
【０００２】
近年、テレビジョン放送のディジタル化が推進されてきている。例えば、日本国内において、ＢＳ（ｂｒｏａｄｃａｓｔｉｎｇ  ｓａｔｅｌｌｉｔｅ）ディジタル放送、１１０度ＣＳ（ｃｏｍｍｕｎｉｃａｔｉｏｎ  ｓａｔｅｌｌｉｔｅ）ディジタル放送、及び地上ディジタル放送などの放送が開始されている。これに併せて、近年、ディジタル放送信号を受信し、映像を再生する放送受信装置の普及も進んでいる。
【０００３】
ディジタル放送信号を受信して再生する放送受信装置において、一定時間操作が行われなかった場合に装置の電源をオフする機能を有する放送受信装置が提供されている（例えば特許文献１参照）。
【０００４】
また、装置の電源をオフする時刻をユーザが予め設定することにより、設定された時刻に装置の電源をオフする機能（オフタイマー機能）を有する放送受信装置が提供されている（例えば特許文献２参照）。
【特許文献１】特開２００５−１３６５７６号公報
【特許文献２】特開２００４−２３６２６８号公報
【発明の開示】
【発明が解決しようとする課題】
【０００５】
上記したように、ユーザの操作に基づいて、一定時間経過後に装置の電源をオフする機能（オフタイマー機能）により、無駄な電力消費を防ぐことが出来る。例えば、ユーザが番組等の視聴中に寝てしまい、放送受信装置の電源をオフすることができなかった場合でも、上記したようなオフタイマー機能により放送受信装置の電源をオフすることができる。
【０００６】
しかし、オフタイマーが設定された時刻（オフタイマー設定時刻）に装置の電源がオフされた場合、ユーザは、電源がオフされる直前に再生されていた番組を視聴していない可能性がある。例えば、ユーザが番組の視聴途中で寝てしまった場合、ユーザは、この番組を最後まで視聴することができない。
【０００７】
このような場合にユーザの希望する番組をユーザに提供する為に、放送受信装置は、番組を録画する必要がある。しかし、上記したような従来の放送受信装置は、ユーザによる録画設定に基づいて録画を行う。即ち、放送受信装置により番組を録画し、且つ、オフタイマー機能を動作させる為に、ユーザは、録画設定とオフタイマー機能の設定との両方を設定する必要がある。この為、ユーザによる操作が煩雑になるという問題がある。
【０００８】
また、録画設定とオフタイマー機能の設定との両方を設定した後にユーザが他の番組を視聴しようとする場合、ユーザは、再び録画設定とオフタイマー機能の設定との両方を設定する必要がある。この為、ユーザにとって操作が煩わしくなるという問題がある。
【０００９】
本発明の一形態における目的は、上記した問題点を解決するものであり、よりユーザの利便性を向上させることが出来る放送受信装置、及び録画制御方法を提供することにある。
【課題を解決するための手段】
【００１０】
本発明の一実施形態としての放送受信装置は、放送信号を受信する受信手段と、前記受信手段で受信した放送信号に所定の信号処理を施す信号処理手段と、前記信号処理手段から出力された出力信号を記録媒体に録画する録画手段と、操作入力を操作信号に変換する操作入力手段と、前記操作入力手段からの操作信号に基づいてオフタイマー機能を管理するオフタイマー管理手段５６１と、前記オフタイマー管理手段によりオフタイマー設定時刻が設定された場合、前記記録手段による録画を開始するように制御するオフタイマー録画制御手段５６２と、を具備する。
【００１１】
また、本発明の一実施形態としての録画制御方法は、放送信号を受信する受信手段と、前記受信手段で受信した放送信号に所定の信号処理を施す信号処理手段と、前記信号処理手段から出力された出力信号を記録媒体に録画する録画手段５６と、操作入力を操作信号に変換する操作入力手段とを具備する放送受信装置に用いられる録画制御方法であって、前記操作入力手段からの操作信号に基づいてオフタイマー機能を管理し、オフタイマー設定時刻が設定された場合、前記記録手段による録画を開始するように制御する。
【発明の効果】
【００１２】
この発明の一形態によれば、よりユーザの利便性を向上させることが出来る放送受信装置、及び録画制御方法を提供することができる。
【発明を実施するための最良の形態】
【００１３】
以下、図を参照しながら、本発明の一実施形態に係る放送受信装置、及び録画制御方法ついて詳細に説明する。  
図１は、本発明の一実施形態に係る放送受信装置１１の構成例を説明するためのブロック図である。  
放送受信装置１１は、アンテナ４３、入力端子４４、チューナ４５、ＰＳＫ復調器４６、信号処理部４７、アンテナ４８、入力端子４９、チューナ５０、ＯＦＤＭ復調器５１、アナログチューナ６８、及びアナログ復調器６９を備えている。アンテナ４３、入力端子４４、チューナ４５、ＰＳＫ復調器４６、信号処理部４７、アンテナ４８、入力端子４９、チューナ５０、ＯＦＤＭ復調器５１、アナログチューナ６８、及びアナログ復調器６９は、受信手段として機能する。なお、受信手段は、１組のアンテナ、チューナ、復調器により構成される。
【００１４】
アンテナ４３は、ＢＳ／ＣＳディジタル放送受信用のアンテナである。アンテナ４３は、衛星デジタルテレビジョン放送信号を受信する。入力端子４４は、アンテナ４３により受信されたディジタル放送信号をチューナ４５に供給する。
【００１５】
チューナ４５は、衛星ディジタル放送用のチューナである。チューナ４５は、受信したディジタル放送信号のチューニングを行う。チューナ４５は、チューニングしたディジタル放送信号をＰＳＫ（Ｐｈａｓｅ  Ｓｈｉｆｔ  Ｋｅｙｉｎｇ）復調器４６に送信する。
【００１６】
ＰＳＫ復調器４６は、ディジタル放送信号の復調を行う。ＰＳＫ復調器４６は、復調したディジタル放送信号を信号処理部４７に出力する。
【００１７】
アンテナ４８は、地上ディジタル放送受信用のアンテナである。アンテナ４８は、地上デジタルテレビジョン放送信号を受信する。入力端子４９は、アンテナ４８により受信されたディジタル放送信号をチューナ５０に供給する。
【００１８】
チューナ５０は、地上ディジタル放送用のチューナである。チューナ５０は、受信したディジタル放送信号のチューニングを行う。チューナ５０は、チューニングしたディジタル放送信号をＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）復調器５１に送信する。
【００１９】
ＯＦＤＭ復調器５１は、ディジタル放送信号の復調を行う。ＯＦＤＭ復調器５１は、復調したディジタル放送信号を信号処理部４７に出力する。
【００２０】
なお、アンテナ４８は、地上波アナログ放送信号も受信可能である。アンテナ４８により受信された地上波アナログ放送信号は、図示しない分配器によって分配されて、アナログチューナ６８に供給される。
【００２１】
アナログチューナ６８は、受信したアナログ放送信号のチューニングを行う。アナログチューナ６８は、チューニングしたアナログ放送信号をアナログ復調器６９に送信する。
【００２２】
アナログ復調器６９は、アナログ放送信号の復調を行う。アナログ復調器６９は、復調したアナログ放送信号を信号処理部４７に出力する。
【００２３】
信号処理部４７は、信号処理手段として機能する。信号処理部４７は、ＰＳＫ復調器４６およびＯＦＤＭ復調器５１から受信したディジタル放送信号に、ディジタル信号処理を施す。即ち、信号処理部４７は、ディジタル放送信号をデータ信号、映像信号、及び音声信号に分離する。信号処理部４７は、ＯＳＤ（Ｏｎ  Ｓｃｒｅｅｎ  Ｄｉｓｐｌａｙ）信号生成部５４にデータ信号を供給する。信号処理部４７は、グラフィック処理部５２に映像信号を出力する。信号処理部４７は、音声処理部５３に音声信号を出力する。
【００２４】
また、信号処理部４７は、アナログ復調器６９から受信した放送信号を、所定のフォーマットのディジタルの映像信号及び音声信号に変換する。信号処理部４７は、ディジタルに変換した映像信号をグラフィック処理部５２に出力する。また、信号処理部４７は、ディジタル変換した音声信号を音声処理部５３に出力する。  
また信号処理部４７は、ライン入力端子からの入力信号をディジタル変換する。
【００２５】
また、放送受信装置１１は、グラフィック処理部５２、音声処理部５３、ＯＳＤ信号生成部５４、映像処理部５５、映像表示器１４、およびスピーカ１５を備えている。
【００２６】
ＯＳＤ信号生成部５４は、制御部５６の制御に従って、ＵＩ（ユーザ・インタフェース）画面などを表示するためのＯＳＤ信号を生成する。
【００２７】
また、ＯＳＤ信号生成部５４は、信号処理部４７から受信したデータ信号を本装置１１に適したフォーマットのＯＳＤ信号に変換する。ＯＳＤ信号生成部５４は、ＯＳＤ信号をグラフィック処理部５２に出力する。
【００２８】
グラフィック処理部５２は、信号処理部４７から受信したディジタルの映像信号のデコード処理を行う。グラフィック処理部５２は、デコードした映像信号とＯＳＤ信号生成部５４から受信したＯＳＤ信号とを重ね合わせて合成する。グラフィック処理部５２は、合成した信号を映像処理部５５に出力する。
【００２９】
また、グラフィック処理部５２は、デコードした映像信号とＯＳＤ信号とのいずれかを、映像処理部５５に選択的に出力することもできる。若しくは、グラフィック処理部５２は、映像信号とＯＳＤ信号とがそれぞれ画面の半分を構成するように組み合わせて出力することもできる。
【００３０】
映像処理部５５は、グラフィック処理部５２から入力された信号を、映像表示器１４で表示可能なフォーマットのアナログ映像信号に変換する。映像処理部５５は、アナログに変換した映像信号を映像表示器１４に出力する。映像表示器１４は、受信した映像信号を表示する。
【００３１】
音声処理部５３は、信号処理部４７から受信した音声信号を、スピーカ１５で再生可能なフォーマットのアナログ音声信号に変換する。音声処理部５３は、アナログに変換した音声信号をスピーカ１５に出力する。スピーカ１５は、受信した音声信号を再生する。
【００３２】
またさらに、放送受信装置１１は、操作部１６、及び受光部１８を備えている。操作部１６、及び受光部１８は、それぞれ操作入力手段として機能する。操作部１６は、ユーザからの操作入力により操作信号を生成する。操作部１６は、生成した操作信号を制御部５６に供給する。
【００３３】
受光部１８は、リモートコントローラ１７からの操作信号を受信する。受光部１８は、リモートコントローラ１７から受信した操作信号を制御部５６に供給する。
【００３４】
リモートコントローラ１７は、電源キー、入力切換キー、衛星ディジタル放送チャンネルのダイレクト選局キー、地上波放送チャンネルのダイレクト選局キー、クイックキー、カーソルキー、決定キー、番組表キー、ページ切換キー、チャンネルアップダウンキー、音量調整キー、およびオフタイマーキー等を備えている。リモートコントローラ１７は、ユーザからの操作入力に基づいて操作信号を生成し、受光部１８に供給する。
【００３５】
またさらに、放送受信装置１１は、制御部５６、ＲＯＭ５７、ＲＡＭ５８、及び不揮発性メモリ５９を備えている。制御部５６は、装置の各部の動作を制御する。制御部５６は、ＣＰＵ等を備えている。制御部５６は、操作部１６、または受光部１８から供給される操作信号に基づいて、種々の処理を行う。
【００３６】
ＲＯＭ５７は、本装置１１のシステム制御プログラム及び各種処理プログラムなどを記憶している。ＲＡＭ５８は、ＣＰＵのワークメモリとして機能する。不揮発性メモリ５９は、本装置１１の動作制御に必要な各種の設定情報及び制御情報等を記憶している。
【００３７】
即ち、制御部５６は、操作部１６、または受光部１８から供給される操作信号に基づいて、ＲＯＭ５７に記憶されているプログラムを起動する。制御部５６は、不揮発性メモリ５９に記憶されている制御情報及び設定情報に基づき、処理を実行し、装置各部の動作を制御する。
【００３８】
またさらに、放送受信装置１１は、ＬＡＮ端子２１、ＬＡＮ端子２２、ＵＳＢ端子２３、カードＩ／Ｆ６０、カードホルダ６１、通信Ｉ／Ｆ６４、通信Ｉ／Ｆ６５、及びＵＳＢ Ｉ／Ｆ６６を備えている。
【００３９】
カードホルダ６１は、カードＩ／Ｆ（Ｉｎｔｅｒｆａｃｅ）６０を介して制御部５６に接続されている。カードホルダ６１は、メモリカード１９を装着することができる。このメモリカード１９は、携帯可能な記憶媒体である。
【００４０】
カードＩ／Ｆ６０は、カードホルダ６１に装着されたメモリカード１９の記憶内容を読み取る。カードＩ／Ｆ６０は、読み取ったデータを制御部５６に供給する。
【００４１】
また、カードＩ／Ｆ６０は、制御部５６の制御に基づき、メモリカード１９に、種々のデータ、例えば画像や音楽、放送番組等のデータを書き込むことができる。
【００４２】
制御部５６は、メモリカード１９をカードＩ／Ｆ６０により読み取ることにより得た画像や音楽、放送番組等のデータを映像表示器１４、若しくは、スピーカ１５により出力することが出来る。
【００４３】
ＬＡＮ端子２１及びＬＡＮ端子２２は、ＬＡＮケーブルを装着することが出来る。通信Ｉ／Ｆ６４及び通信Ｉ／Ｆ６５は、ＬＡＮ端子２１及びＬＡＮ端子２２に接続されたＬＡＮケーブルによりデータの送受信を行なう事ができる。即ち、通信Ｉ／Ｆ６４及び通信Ｉ／Ｆ６５は、ＬＡＮケーブルを介して接続されたＨＤＤなどの外部機器とデータの送受信を行なう事ができる。
【００４４】
ここで接続される外部機器は、例えば、イーサネット（登録商標）を用いたＬＡＮ対応ＨＤＤ、ＮＡＳ（Ｎｅｔｗｏｒｋ  Ａｔｔａｃｈｅｄ  Ｓｔｏｒａｇｅ）対応ＨＤＤ、ＰＣ（Ｐｅｒｓｏｎａｌ  Ｃｏｍｐｕｔｅｒ）、リード及びライトに対応した光ディスクドライブなどがある。即ち、制御部５６は、通信Ｉ／Ｆ６４及び通信Ｉ／Ｆ６５を介して外部機器と情報の伝達を行うことができる。
【００４５】
この場合、制御部５６は、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）サーバとして機能する。即ち、制御部５６は、ＬＡＮ端子２１若しくはＬＡＮ端子２２に接続されたＨＤＤにＩＰ（Ｉｎｔｅｒｎｅｔ  Ｐｒｏｔｏｃｏｌ）アドレスを割り当てて制御する。
【００４６】
これにより、制御部５６は、ＨＤＤに画像や音楽、放送番組等のデータを格納することができる。また制御部５６は、ＨＤＤに格納された画像や音楽、放送番組等のデータを読み出し、映像表示器１４及びスピーカ１５に出力することができる。
【００４７】
また、制御部５６は、ＬＡＮ端子２１若しくはＬＡＮ端子２２に接続されたＨＤＤに対して情報を記録することができる。
【００４８】
また、ＬＡＮ端子２１若しくはＬＡＮ端子２２からブロードバンドルータに接続されている場合、制御部５６は、ブロードバンドルータを介してネットワークに接続することができる。
【００４９】
ＵＳＢ（Ｕｎｉｖｅｒｓａｌ  Ｓｅｒｉａｌ  Ｂｕｓ）端子２３は、ＵＳＢ Ｉ／Ｆ６６を介して制御部５６に接続されている。ＵＳＢ端子２３は、一般的なＵＳＢ対応ポートである。即ち、制御部５６は、ＵＳＢ端子２３接続された携帯電話、デジタルカメラ、及びＨＤＤ等とデータ通信を行なう事ができる。
【００５０】
なお、上記した実施形態ではＨＤＤが外部接続されているとして説明したがこれに限定されない。例えば、装置内部のバスなどにより制御部５６にＨＤＤが接続されて内蔵されていてもよい。即ち、制御部５６は、当該制御部５６と通信可能な記憶媒体に放送番組等のデータを録画することが出来る。即ち、制御部５６は、信号処理手段から出力された出力信号を記録媒体に録画する録画手段として機能する。
【００５１】
図２は、図１に示す放送受信装置１１の制御部５６の機能を説明するための説明図である。  
制御部５６は、オフタイマー管理部５６１、オフタイマー録画制御部５６２、番組判別部５６３、通知処理部５６４、チャプター処理部５６５、及びオフタイマー録画再生部５６６を備えている。
【００５２】
オフタイマー管理部５６１は、オフタイマー管理手段として機能する。オフタイマー管理部５６１は、上記したオフタイマー機能の制御を行う。即ち、制御部５６に入力された操作信号に基づき、オフタイマー設定時刻を設定する。オフタイマー設定時刻は、オフタイマー機能を実行させる時刻を指定する為の情報である。オフタイマー管理部５６１は、ユーザによる操作に基づいて、例えば、３０分後、６０分後、若しくは９０分・・・など、所定時間後にオフタイマー機能を実行するようにオフタイマー設定時刻を設定する。
【００５３】
また、オフタイマー管理部５６１は、時計機能を有する。これにより、オフタイマー管理部５６１は、オフタイマー設定時刻になったかどうかを常に判断する。オフタイマー設定時刻になったと判断した場合、オフタイマー管理部５６１は、放送受信装置１１の電源をオフ状態、若しくはスタンバイ状態に制御する。
【００５４】
オフタイマー録画制御部５６２は、オフタイマー録画制御手段として機能する。オフタイマー録画制御部５６２は、オフタイマー録画機能の制御を行う。オフタイマー管理部５６１によりオフタイマー設定時刻が設定された場合、オフタイマー録画制御部５６２は、選択されているチャンネルの番組の録画を開始する。即ち、オフタイマー録画制御部５６２は、オフタイマー設定時刻が設定された場合、オフタイマー録画を開始する。
【００５５】
番組の録画を開始する場合、オフタイマー録画制御部５６２は、録画した番組を保存する記憶媒体（例えばＨＤＤ等）の空き領域を確認する。また、オフタイマー録画制御部５６２は、オフタイマー機能の設定時に選択されているチャンネルの番組の容量とユーザの設定（例えば、保存時の画質などの設定）から、番組の録画に要する容量を確認する。
【００５６】
オフタイマー録画制御部５６２は、記憶媒体の空き領域と番組の録画に要する容量とを比較し、番組の終了まで録画できるかどうか判断する。番組の容量を確認する方法は、種々の方法が考えられる。例えば、オフタイマー録画制御部５６２は、放送受信装置１１が受信したディジタル放送信号のストリーム内に含まれる番組特定情報に基づいて番組の容量を確認する。
【００５７】
また、オフタイマー録画の実行中に他チャンネルを選局する操作信号を受信した場合、オフタイマー録画制御部５６２は、オフタイマー録画を行っていた番組のデータを破棄する。さらに、オフタイマー録画制御部５６２は、選局されたチャンネルの番組の容量から録画に要する容量を判断し、録画可能か否か判断した上で選局されたチャンネルの番組のオフタイマー録画を開始する。
【００５８】
また、オフタイマー録画の実行中に装置をスタンバイ状態にする操作信号を受信した場合、オフタイマー録画制御部５６２は、操作信号を受信した時点でオフタイマー録画を行っていた番組のデータを破棄する。
【００５９】
オフタイマー設定時刻にオフタイマー録画制御部５６２によりオフタイマー録画が実行されている場合、オフタイマー管理部５６１は、放送受信装置１１の電源をスタンバイ状態に制御する。オフタイマー管理部５６１は、オフタイマー録画制御部５６２によるオフタイマー録画が終了した時点で放送受信装置１１の電源をオフ状態に制御する。即ち、オフタイマー管理部５６１は、オフタイマー録画制御部５６２によりオフタイマー録画されている番組が終了したと判断した場合、放送受信装置１１の電源をオフ状態に制御する。
【００６０】
番組判別部５６３は、番組判別手段として機能する。番組判別部５６３は、放送受信装置１１が受信したディジタル放送信号のストリーム内に含まれる番組特定情報に基づいて放送時間を判別する。即ち、番組判別部５６３は、番組特定情報に基づいて番組の開始時刻、及び終了時刻を判別する。
【００６１】
番組判別部５６３は、オフタイマー録画の実行中に録画中の番組の終了時刻を監視する。即ち、番組の終了時刻が近づいた場合、その旨をオフタイマー録画制御部５６２及び通知処理部５６４に通知する。
【００６２】
通知処理部５６４は、通知処理手段として機能する。通知処理部５６４は、番組の終了時刻が近づいたという通知を受信した場合、オフタイマー録画を行った番組のデータを保存するか否かをユーザに選択させるための表示データを作成する。通知処理部５６４は、作成した表示データを表示装置に送信し出力させる。
【００６３】
オフタイマー録画制御部５６２は、ここでのユーザからの操作信号を判別し、オフタイマー録画を行った番組のデータを保存するか否かを判断する。
【００６４】
また、オフタイマー録画制御部５６２によりオフタイマー録画を行った番組のデータの保存、若しくは破棄を行った場合、通知処理部５６４は、次に受信する番組についてオフタイマー録画を行うか否かをユーザに選択させるための表示データを作成する。
【００６５】
ここでのユーザからの操作信号を判別し、操作信号が、オフタイマー録画を行うことを示す操作信号であると判別した場合、オフタイマー録画制御部５６２は、次の番組の容量から録画に要する容量を判断し、録画可能か否か判断した上で選局されたチャンネルの番組のオフタイマー録画を開始する。
【００６６】
また、通知処理部５６４は、放送受信装置１１の起動時にオフタイマー録画されたデータのうち、オフタイマー録画されたデータが存在することをユーザに通知する。通知処理部５６４は、ユーザにまだオフタイマー録画されたデータが存在することを通知していないデータが存在する場合にこの通知を行う。この場合、通知処理部５６４は、例えば不揮発性メモリ５９などに通知の履歴を記憶しておく。
【００６７】
また、通知処理部５６４は、オフタイマー録画を行った番組のデータに対する処理をユーザに選択させるための表示データを作成する。通知処理部５６４は、作成した表示データを表示装置に送信し出力させる。
【００６８】
チャプター処理部５６５は、オフタイマー録画の実行中に上記以外の操作信号、即ち、選局及びスタンバイを除く他の操作信号を受信した場合、この操作信号を受信した時刻に対応する録画位置にチャプターを付加する。なお、既にチャプターが付加されている場合、チャプター位置を更新するようにしてもよい。これにより、ユーザが見逃したと思われる箇所となるべく近い位置から再生することができる。
【００６９】
オフタイマー録画再生部５６６は、オフタイマー録画されたデータの再生処理及びデータの管理を行う。即ち、放送受信装置１１の起動時、通知処理部５６４により表示させたオフタイマー録画を行った番組のデータに対する処理をユーザに選択させるための表示に対するユーザからの操作信号に基づいて、録画データの再生処理及びデータの管理を行う。
【００７０】
この録画データにチャプター処理部５６５によりチャプターが付与されているか否か判断し、チャプターが付与されている場合、オフタイマー録画再生部５６６は、チャプターが付与されている位置から再生を開始する。
【００７１】
また、ユーザからの操作信号により録画データの破棄が指示された場合、オフタイマー録画再生部５６６は、オフタイマー録画により録画したデータを記憶媒体から削除するように制御する。
【００７２】
図３は、図１及び図２に示す放送受信装置１１において行われるオフタイマー録画について説明するためのフローチャートである。  
放送受信装置１１は、ディジタル放送信号を受信中であるとする。ここで、放送受信装置１１がユーザの操作によるオフタイマー機能の設定の操作信号を受信すると、オフタイマー管理部５６１は、入力された操作信号に基づいてオフタイマー設定時刻を設定する（ステップＳ１１）。例えば、ユーザがリモートコントローラ１７のオフタイマーキーを操作した場合、リモートコントローラ１７は受光部１８に対してオフタイマー機能の設定の操作信号を送信する。
【００７３】
なお、ユーザは、オフタイマーキーによりオフタイマー機能を実行させるかオフタイマー録画を実行させるかを予め図４に示すような設定メニューの中で設定させることが出来る。図４は、映像表示器１４に表示された設定メニュー画面の表示例である。
【００７４】
制御部５６は、ユーザの操作に基づいて、オフタイマーキーが押された場合にオフタイマー機能を実行するかオフタイマー録画を実行するかを設定する。即ち、設定メニュー画面において、「オフタイマー」４０１が選択された場合、制御部５６は、オフタイマーキーが押された場合にオフタイマー機能を実行するように設定する。また、設定メニュー画面において、「オフタイマー録画」４０２が選択された場合、制御部５６は、オフタイマーキーが押された場合にオフタイマー録画を実行するように設定する。
【００７５】
なお、オフタイマーキーの操作信号が入力される毎に、ユーザにオフタイマー機能を実行するかオフタイマー録画を実行するかを選択させるようにしてもよい。
【００７６】
オフタイマー管理部５６１によりオフタイマー設定時刻が設定された場合、オフタイマー録画制御部５６２は、選択されているチャンネルの番組の録画が可能か否か判定する（ステップＳ１２）。即ち、オフタイマー録画制御部５６２は、記憶媒体の空き領域と番組の録画に要する容量とを比較し、番組の終了まで録画できるかどうか判断する。
【００７７】
オフタイマー録画制御部５６２は、番組の録画が可能と判定した場合（ステップＳ１２、ＹＥＳ）、オフタイマー録画を開始する（ステップＳ１３）。この場合、制御部５６は、図５に示すような画面を映像表示器１４に表示させる。図５は、オフタイマー録画を開始したことをユーザに通知するための画面の表示例である。この画面には、「オフタイマー録画を開始しました」５０１という文字列が含まれている。
【００７８】
オフタイマー録画制御部５６２は、番組の録画が不可能と判定した場合（ステップＳ１２、ＮＯ）、オフタイマー録画を行わず、オフタイマー機能のみ設定する。
【００７９】
オフタイマー録画の実行中、制御部５６は、操作信号を受信したか否かを常に判定する（ステップＳ１４）。操作信号を受信したと判定した場合（ステップＳ１４、ＹＥＳ）、制御部５６は、受信した操作信号が、選局を指示するものであるか、スタンバイを指示するものであるか、その他の指示であるか、を判定する（ステップＳ１５、ステップＳ１７）。
【００８０】
受信した操作信号が、選局を指示するものであると判定した場合（ステップＳ１５、ＹＥＳ）、オフタイマー録画制御部５６２は、オフタイマー録画を行っていた番組のデータを破棄する（ステップＳ１６）。さらに、オフタイマー録画制御部５６２は、ステップＳ１２に移行し、選局されたチャンネルの番組の容量から録画に要する容量を判断し、録画可能か否か判断した上で選局されたチャンネルの番組のオフタイマー録画を開始する。
【００８１】
受信した操作信号が、スタンバイを指示するものであると判定した場合（ステップＳ１７、ＹＥＳ）、オフタイマー録画制御部５６２は、オフタイマー録画を行っていた番組のデータを破棄し（ステップＳ１８）、処理を終了する。
【００８２】
受信した操作信号が、その他の指示するものであると判定した場合（ステップＳ１７、ＮＯ）、チャプター処理部５６５は、この操作信号を受信した時刻に対応する録画位置にチャプターを付加する（ステップＳ１９）。
【００８３】
また、番組判別部５６３は、番組が終了したか否かを常に判定する（ステップＳ２０）。番組判別部５６３により番組が終了したと判定された場合（ステップＳ２０、ＹＥＳ）、通知処理部５６４は、オフタイマー録画を行った番組のデータを保存するか否かをユーザに選択させるための画面を映像表示器１４に表示させる。
【００８４】
図６は、オフタイマー録画を行った番組のデータを保存するか否かをユーザに選択させるための画面の表示例である。図６に示す画面には、選択を促す文字列６０１と、「保存する」というボタン６０２と、「破棄する」というボタン６０３とが表示されている。
【００８５】
オフタイマー録画制御部５６２は、ここでのユーザからの操作信号を判別し、オフタイマー録画を行った番組のデータを保存するか否かを判断する（ステップＳ２１）。即ち、通知処理部５６４と操作入力手段とによりオフタイマー録画を終了した番組のデータを記録媒体から削除するか否かを利用者に選択させる選択手段が構成されている。
【００８６】
ボタン６０２が押され、オフタイマー録画を行った番組のデータの保存を指示する操作信号を受信した場合、若しくは、一定時間ユーザからの操作が入力されなかった場合、オフタイマー録画制御部５６２は、オフタイマー録画を行っていた番組のデータを記憶媒体に保存する。
【００８７】
ボタン６０３が押され、オフタイマー録画を行った番組のデータの破棄を指示する操作信号を受信した場合、オフタイマー録画制御部５６２は、オフタイマー録画を行っていた番組のデータを破棄する（ステップＳ２２）。
【００８８】
オフタイマー録画制御部５６２によりオフタイマー録画を行った番組のデータの保存、若しくは破棄を行った場合、通知処理部５６４は、次に受信する番組についてオフタイマー録画を行うか否かをユーザに選択させるための画面を映像表示器１４に表示させる。
【００８９】
図７は、次に受信する番組についてオフタイマー録画を行うか否かをユーザに選択させるための画面の表示例である。図７に示す画面には、選択を促す文字列７０１と、「はい」というボタン７０２と、「いいえ」というボタン７０３とが表示されている。
【００９０】
オフタイマー録画制御部５６２は、ここでのユーザからの操作信号を判別し、次に受信する番組についてオフタイマー録画を行うか否かを判断する（ステップＳ２３）。即ち、通知処理部５６４と操作入力手段とにより次に受信する番組を録画するか否かを利用者に選択させる選択手段が構成されている。
【００９１】
ボタン７０２が押され、次に受信する番組についてオフタイマー録画を行うと判定した場合（ステップＳ２３、ＹＥＳ）、オフタイマー録画制御部５６２は、ステップＳ１２に移行し、選局されたチャンネルの番組の容量から録画に要する容量を判断し、録画可能か否か判断した上で選局されたチャンネルの番組のオフタイマー録画を開始する。
【００９２】
ボタン７０３が押され、次に受信する番組についてオフタイマー録画を行わないと判定した場合、若しくは、一定時間ユーザからの操作が入力されなかった場合（ステップＳ２３、ＮＯ）、オフタイマー録画制御部５６２は、オフタイマー録画を終了し、通常のオフタイマー機能のみを実行させる。
【００９３】
オフタイマー管理部５６１は、常にオフタイマー設定時刻になったかどうかを常に判断する（ステップＳ２４）。制御部５６は、オフタイマー設定時刻になっておらず（ステップＳ２４、ＮＯ）、且つ、オフタイマー録画が実行されていると判定した場合（ステップＳ２５、ＹＥＳ）、ステップＳ１４に移行し、再び操作信号を受信したか否かを判定する。
【００９４】
ステップＳ２４において、オフタイマー設定時刻になったと判定した場合、オフタイマー管理部５６１は、放送受信装置１１の電源をスタンバイ状態に制御する（ステップＳ２６）。
【００９５】
オフタイマー管理部５６１は、オフタイマー録画が実行されているか否かを判定する（ステップＳ２７）。オフタイマー録画が実行されていないと判定した場合（ステップＳ２７、ＮＯ）、オフタイマー管理部５６１は、放送受信装置１１の電源をオフ状態に制御し、処理を終了する。
【００９６】
オフタイマー録画が実行されていると判定した場合（ステップＳ２７、ＹＥＳ）、オフタイマー録画制御部５６２は、番組の終了を待つ状態となる（ステップＳ２８）。即ち、オフタイマー録画制御部５６２は、番組判別部５６３から通知される番組の終了を示す情報を待つ状態となる。
【００９７】
番組が終了したと判定した場合（ステップＳ２８、ＹＥＳ）、オフタイマー録画制御部５６２は、オフタイマー録画を終了する（ステップＳ２９）。さらにオフタイマー管理部５６１は、放送受信装置１１の電源をオフ状態に制御し、処理を終了する。
【００９８】
図８は、図１及び図２に示す放送受信装置１１において行われるオフタイマー録画されたデータの再生処理について説明するためのフローチャートである。  
放送受信装置１１が起動すると（ステップＳ３１）、通知処理部５６４は、記憶媒体の記憶内容を参照し、オフタイマー録画により録画され、且つ、通知処理部５６４により通知されていない番組が存在するか否か判定する（ステップＳ３２）。即ち、制御部５６は、記憶媒体に記憶されている番組のうち、オフタイマー録画により録画された番組と、通知処理部５６４の通知の履歴とを比較する。
【００９９】
通知処理部５６４により通知されていない番組が存在しないと判定した場合（ステップＳ３２、ＮＯ）、制御部５６は、この処理を終了する。
【０１００】
通知処理部５６４により通知されていない番組が存在すると判定された場合（ステップＳ３２、ＹＥＳ）、通知処理部５６４は、オフタイマー録画されたデータが存在することをユーザへ通知する（ステップＳ３３）。この場合、通知処理部５６４は、図９に示すような画面の表示データを作成し、映像表示器１４に表示させる。
【０１０１】
図９は、オフタイマー録画されたデータに対する処理をユーザに選択させるための画面の表示例である。  
図９に示す画面には、選択を促す文字列９０１と、「再生する」というボタン９０２と、「あとで見る」というボタン９０３と、「破棄する」というボタン９０４と、が表示されている。
【０１０２】
オフタイマー録画再生部５６６は、ここでのユーザからの操作信号を判別し、オフタイマー録画されたデータに対する処理を判断する（ステップＳ３４、ステップＳ３５）。
【０１０３】
ボタン９０３が押され、オフタイマー録画されたデータの処理を保留すると判定した場合（ステップＳ３５、ＮＯ）、オフタイマー録画再生部５６６は、処理を終了する。
【０１０４】
ボタン９０４が押され、オフタイマー録画されたデータを破棄すると判定した場合（ステップＳ３５、ＹＥＳ）、オフタイマー録画再生部５６６は、オフタイマー録画により録画したデータを記憶媒体から削除するように制御する（ステップＳ３６）。
【０１０５】
ボタン９０２が押され、オフタイマー録画されたデータの再生を行うと判定した場合（ステップＳ３４、ＹＥＳ）、オフタイマー録画再生部５６６は、オフタイマー録画されたデータに、チャプター処理部５６５によりチャプターが付与されているか否か判定する（ステップＳ３７）。
【０１０６】
チャプターが付与されている場合、（ステップＳ３７、ＹＥＳ）、オフタイマー録画再生部５６６は、オフタイマー録画されたデータを、チャプターが付与されている位置から再生する（ステップＳ３８）。
【０１０７】
チャプターが付与されていない場合、（ステップＳ３７、ＮＯ）、オフタイマー録画再生部５６６は、オフタイマー録画されたデータを先頭から再生する（ステップＳ３９）。
【０１０８】
上記した実施形態では、通知処理部５６４により通知されていない番組が存在すると判定された場合、オフタイマー録画されたデータが存在することをユーザへ通知するとして説明したがこれに限定されない。例えば、通知処理部５６４は、オフタイマー録画されたデータのうち未再生のものをユーザに通知するようにしてもよい。
【０１０９】
また、上記した実施形態に係る放送受信装置１１は、映像表示器１４とスピーカ１５とを備えているとしたがこれに限定されない。映像表示器１４及びスピーカ１５が外部に接続されるような構成であっても本発明を適用することが出来る。
【０１１０】
図１０は、他の実施形態に係る放送受信装置（ＳＴＢ）１００の構成を説明するためのブロック図である。なお、図１に示す構成と同じ構成には同じ参照番号を付与し、その詳細な説明を省略する。
【０１１１】
セットトップボックス（ＳＴＢ）１００は、図１に示す放送受信装置１１から映像表示器１４とスピーカ１５とを除いた構成である。ＳＴＢ１００の音声処理部５３及び映像処理部５５は、出力端子を介してＳＴＢ１００の外部に出力信号を出力する。この出力端子にはテレビジョン（ＴＶ）２００が接続されている。映像処理部５５は、アナログに変換した映像信号をＴＶ２００に出力する。即ち、音声処理部５３は、アナログに変換した音声信号をＴＶ２００に出力する。
【０１１２】
ＴＶ２００は、スピーカ、表示部、電源制御部、及び通信インターフェースを備えている。ＴＶ２００は、受信した映像信号に基づいて映像を表示部に表示させる。また、ＴＶ２００は、受信した音声信号に基づいて音声をスピーカから出力する。
【０１１３】
また、ＳＴＢ１００とＴＶ２００とは、ＵＳＢケーブル、ＬＡＮケーブルなどによりデータ通信を行なうことができる状態で接続されている。
【０１１４】
例えば、ＵＳＢケーブルによりＳＴＢ１００とＴＶ２００とが接続されている場合、ＳＴＢ１００は、ＴＶ２００の電源を制御するための信号（電源制御信号）をＵＳＢケーブルを介してＴＶ２００に出力することが出来る。
【０１１５】
ＴＶ２００の電源制御部は、通信インターフェースを介して電源制御信号を受信した場合、電源制御信号に基づいてＴＶ２００の電源のオンとオフとを切り替える。
【０１１６】
即ち、ＳＴＢ１００のオフタイマー管理部５６１は、設定されたオフタイマー設定時刻になったと判断した場合、ＴＶ２００の電源オフすることを指示する電源制御信号をＴＶ２００に送信する。ＴＶ２００の電源制御部は、電源オフすることを指示する電源制御信号を受信した場合、ＴＶ２００の電源のオフ状態にする。
【０１１７】
上記したように、本発明の実施形態に係る放送受信装置は、オフタイマー機能が設定された場合に、その時点で選択されているチャンネルの番組の録画を自動的に開始する。放送受信装置は、録画中にオフタイマー設定時刻になった場合、録画中の番組の終了まで録画を実行し、電源をオフする。また、録画中に選局の操作が行われた場合、放送受信装置は、録画していたデータを破棄し、選局先のチャンネルの番組の録画を自動的に開始する。また、放送受信装置は、起動時にオフタイマー録画された番組が存在するかどうか確認する。オフタイマー録画された番組が存在する場合、放送受信装置は、その旨をユーザに通知する。
【０１１８】
これにより、ユーザは、オフタイマーを設定するだけで、その時見ていた番組を放送受信装置に録画させることができる。また選局などを行う場合でも、自動的に選局先の番組を放送受信装置に録画させることができる。これにより、ユーザは、意識することなく放送受信装置に番組を録画させることができる。また、放送受信装置は、選局時にそれまで録画していたデータを破棄する為、余計なデータを記憶媒体に残すことなく、ユーザの所望する番組を提供することが出来る。この結果として、よりユーザの利便性を向上させることが出来る放送受信装置、及び録画制御方法を提供することができる。
【０１１９】
なお、この発明は、上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。更に、異なる実施形態に亘る構成要素を適宜組み合わせてもよい。
【図面の簡単な説明】
【０１２０】
【図１】図１は、本発明の一実施形態に係る放送受信装置の構成例を説明するためのブロック図である。
【図２】図２は、図１に示す放送受信装置の制御部の機能を説明するための説明図である。
【図３】図３は、図１及び図２に示す放送受信装置において行われるオフタイマー録画について説明するためのフローチャートである。
【図４】図４は、映像表示器に表示された設定メニュー画面の表示例である。
【図５】図５は、オフタイマー録画を開始したことをユーザに通知するための画面の表示例である。
【図６】図６は、オフタイマー録画を行った番組のデータを保存するか否かをユーザに選択させるための画面の表示例である。
【図７】図７は、次に受信する番組についてオフタイマー録画を行うか否かをユーザに選択させるための画面の表示例である。
【図８】図８は、図１及び図２に示す放送受信装置において行われるオフタイマー録画されたデータの再生処理について説明するためのフローチャートである。
【図９】図９は、オフタイマー録画されたデータに対する処理をユーザに選択させるための画面の表示例である。
【図１０】図１０は、他の実施形態に係る放送受信装置の構成を説明するためのブロック図である。
【符号の説明】
【０１２１】
１１…放送受信装置、１４…映像表示器、１５…スピーカ、１６…操作部、１７…リモートコントローラ、１８…受光部、１９…メモリカード、２１…ＬＡＮ端子、２２…ＬＡＮ端子、２３…ＵＳＢ端子、４３…アンテナ、４４…入力端子、４５…チューナ、４６…ＰＳＫ復調器、４７…信号処理部、４８…アンテナ、４９…入力端子、５０…チューナ、５１…ＯＦＤＭ復調器、５２…グラフィック処理部、５３…音声処理部、５４…ＯＳＤ信号生成部、５５…映像処理部、５６…制御部、５７…ＲＯＭ、５８…ＲＡＭ、５９…不揮発性メモリ、６１…カードホルダ、６８…アナログチューナ、６９…アナログ復調器、１００…ＳＴＢ、２００…ＴＶ、５６１…オフタイマー管理部、５６２…オフタイマー録画制御部、５６３…番組判別部、５６４…通知処理部、５６５…チャプター処理部、５６６…オフタイマー録画再生部。
【図１】
2010011396.tif 000003
【図２】
2010011396.tif 000004
【図３】
2010011396.tif 000005
【図４】
2010011396.tif 000006
【図５】
2010011396.tif 000007
【図６】
2010011396.tif 000008
【図７】
2010011396.tif 000009
【図８】
2010011396.tif 000010
【図９】
2010011396.tif 000011
【図１０】
2010011396.tif 000012
【手続補正書】
【提出日】平成21年5月25日(2009.5.25)
【手続補正１】
【補正対象書類名】特許請求の範囲
【補正対象項目名】全文
【補正方法】変更
【補正の内容】
【特許請求の範囲】
【請求項１】
放送信号を受信する受信手段と、
前記受信手段で受信した放送信号に所定の信号処理を施す信号処理手段と、
前記信号処理手段から出力された出力信号を記録媒体に録画する録画手段と、
操作入力を操作信号に変換する操作入力手段と、
前記操作入力手段からの操作信号に基づいてオフタイマー機能を管理するオフタイマー管理手段と、
前記オフタイマー管理手段によりオフタイマー設定時刻が設定された場合、前記記録手段による録画を開始し、録画中に前記操作入力手段により選局操作または放送受信装置をスタンバイ状態にする操作がされた場合、当該操作が行われた時点で記録媒体にオフタイマー録画されていたデータを削除するように制御するオフタイマー録画制御手段と、
を具備することを特徴とする放送受信装置。
【請求項２】
前記信号処理手段から出力される出力信号に基づいて、番組終了時刻を判別する番組判別手段をさらに具備し、
前記オフタイマー録画制御手段は、前記オフタイマー管理手段によりオフタイマー設定時刻になったと判定された時点で録画されていた番組の終了が前記番組判別手段により判別された場合、録画を終了するように制御することを特徴とする請求項１に記載の放送受信装置。
【請求項３】
前記オフタイマー録画制御手段は、録画中に前記操作入力手段により選局操作がされた場合、選局操作により選局された放送信号の録画を開始するように制御することを特徴とする請求項１に記載の放送受信装置。
【請求項４】
前記信号処理手段から出力される出力信号に基づいて、番組終了時刻を判別する番組判別手段と、
番組の終了が前記番組判別手段により判別された場合、録画を終了した番組のデータを記録媒体から削除するか否かを利用者に選択させる選択手段と、
をさらに具備し、
前記オフタイマー録画制御手段は、前記選択手段により録画を終了した番組のデータを記録媒体から削除することが選択された場合、録画を終了した番組のデータを記録媒体から削除するように制御することを特徴とする請求項１に記載の放送受信装置。
【請求項５】
前記信号処理手段から出力される出力信号に基づいて、番組終了時刻を判別する番組判別手段と、
番組の終了が前記番組判別手段により判別された場合、次に受信する番組を録画するか否かを利用者に選択させる選択手段と、
をさらに具備し、
前記オフタイマー録画制御手段は、前記選択手段により次に受信する番組を録画することが選択された場合、次に受信する番組を録画するように制御することを特徴とする請求項１に記載の放送受信装置。
【請求項６】
前記オフタイマー録画制御手段による録画中に前記操作入力手段により操作が入力された場合、操作信号を受信した時刻に対応する録画位置にチャプターを付加するチャプター処理手段をさらに具備することを特徴とする請求項１に記載の放送受信装置。
【請求項７】
当該放送受信装置の起動時に、前記オフタイマー録画制御手段により録画された番組が記録媒体中に存在するか否か判定し、前記オフタイマー録画制御手段により録画された番組が記録媒体中に存在する場合、前記オフタイマー録画制御手段により録画された番組が記録媒体中に存在することを利用者に通知する通知処理手段をさらに具備する請求項１に記載の放送受信装置。
【請求項８】
前記信号処理手段で所定の信号処理された放送信号に基づいて映像を表示する表示手段を備えることを特徴とする請求項１に記載の放送受信装置。
【請求項９】
放送信号を受信する受信手段と、前記受信手段で受信した放送信号に所定の信号処理を施す信号処理手段と、前記信号処理手段から出力された出力信号を記録媒体に録画する録画手段と、操作入力を操作信号に変換する操作入力手段とを具備する放送受信装置に用いられる録画制御方法であって、
前記操作入力手段からの操作信号に基づいてオフタイマー機能を管理し、
オフタイマー設定時刻が設定された場合、前記記録手段による録画を開始し、録画中に前記操作入力手段により選局操作または放送受信装置をスタンバイ状態にする操作がされた場合、当該操作が行われた時点で記録媒体にオフタイマー録画されていたデータを削除するように制御する、
ことを特徴とする録画制御方法。
【手続補正２】
【補正対象書類名】明細書
【補正対象項目名】００１０
【補正方法】変更
【補正の内容】
【００１０】
本発明の一実施形態としての放送受信装置は、放送信号を受信する受信手段と、前記受信手段で受信した放送信号に所定の信号処理を施す信号処理手段と、前記信号処理手段から出力された出力信号を記録媒体に録画する録画手段と、操作入力を操作信号に変換する操作入力手段と、前記操作入力手段からの操作信号に基づいてオフタイマー機能を管理するオフタイマー管理手段と、前記オフタイマー管理手段によりオフタイマー設定時刻が設定された場合、前記記録手段による録画を開始し、録画中に前記操作入力手段により選局操作または放送受信装置をスタンバイ状態にする操作がされた場合、当該操作が行われた時点で記録媒体にオフタイマー録画されていたデータを削除するように制御するオフタイマー録画制御手段と、を具備する。
【手続補正３】
【補正対象書類名】明細書
【補正対象項目名】００１１
【補正方法】変更
【補正の内容】
【００１１】
また、本発明の一実施形態としての録画制御方法は、放送信号を受信する受信手段と、前記受信手段で受信した放送信号に所定の信号処理を施す信号処理手段と、前記信号処理手段から出力された出力信号を記録媒体に録画する録画手段と、操作入力を操作信号に変換する操作入力手段とを具備する放送受信装置に用いられる録画制御方法であって、前記操作入力手段からの操作信号に基づいてオフタイマー機能を管理し、オフタイマー設定時刻が設定された場合、前記記録手段による録画を開始し、録画中に前記操作入力手段により選局操作または放送受信装置をスタンバイ状態にする操作がされた場合、当該操作が行われた時点で記録媒体にオフタイマー録画されていたデータを削除するように制御する。
【手続補正書】
【提出日】平成21年7月10日(2009.7.10)
【手続補正１】
【補正対象書類名】特許請求の範囲
【補正対象項目名】全文
【補正方法】変更
【補正の内容】
【特許請求の範囲】
【請求項１】
放送信号を受信する受信手段と、
前記受信手段で受信した放送信号に所定の信号処理を施す信号処理手段と、
前記信号処理手段から出力された出力信号を記録媒体に録画する録画手段と、
操作入力を操作信号に変換する操作入力手段と、
前記操作入力手段からの操作信号に基づいてオフタイマー機能を管理するオフタイマー管理手段と、
前記オフタイマー管理手段によりオフタイマー設定時刻が設定された場合、前記記録手段による録画を開始し、録画中に前記操作入力手段により選局操作がされた場合、選局操作により選局された放送信号の録画を開始し、録画中に前記操作入力手段により選局操作または放送受信装置をスタンバイ状態にする操作がされた場合、当該操作が行われた時点で記録媒体にオフタイマー録画されていたデータを削除するように制御するオフタイマー録画制御手段と、
前記信号処理手段から出力される出力信号に基づいて、番組終了時刻を判別する番組判別手段と、
を具備し、
前記オフタイマー録画制御手段は、前記オフタイマー管理手段によりオフタイマー設定時刻になったと判定された時点で録画されていた番組の終了が前記番組判別手段により判別された場合、録画を終了するように制御する、
ことを特徴とする放送受信装置。
【請求項２】
前記オフタイマー録画制御手段による録画中に前記操作入力手段により操作が入力された場合、操作信号を受信した時刻に対応する録画位置にチャプターを付加するチャプター処理手段をさらに具備することを特徴とする請求項１に記載の放送受信装置。
【請求項３】
番組の終了が前記番組判別手段により判別された場合、録画を終了した番組のデータを記録媒体から削除するか否かを利用者に選択させる選択手段と、
をさらに具備し、
前記オフタイマー録画制御手段は、前記選択手段により録画を終了した番組のデータを記録媒体から削除することが選択された場合、録画を終了した番組のデータを記録媒体から削除するように制御することを特徴とする請求項１に記載の放送受信装置。
【請求項４】
番組の終了が前記番組判別手段により判別された場合、次に受信する番組を録画するか否かを利用者に選択させる選択手段と、
をさらに具備し、
前記オフタイマー録画制御手段は、前記選択手段により次に受信する番組を録画することが選択された場合、次に受信する番組を録画するように制御することを特徴とする請求項１に記載の放送受信装置。
【請求項５】
当該放送受信装置の起動時に、前記オフタイマー録画制御手段により録画された番組が記録媒体中に存在するか否か判定し、前記オフタイマー録画制御手段により録画された番組が記録媒体中に存在する場合、前記オフタイマー録画制御手段により録画された番組が記録媒体中に存在することを利用者に通知する通知処理手段をさらに具備する請求項１に記載の放送受信装置。
【請求項６】
前記信号処理手段で所定の信号処理された放送信号に基づいて映像を表示する表示手段を備えることを特徴とする請求項１に記載の放送受信装置。
【請求項７】
放送信号を受信する受信手段と、前記受信手段で受信した放送信号に所定の信号処理を施す信号処理手段と、前記信号処理手段から出力された出力信号を記録媒体に録画する録画手段と、操作入力を操作信号に変換する操作入力手段とを具備する放送受信装置に用いられる録画制御方法であって、
前記操作入力手段からの操作信号に基づいてオフタイマー機能を管理し、
オフタイマー設定時刻が設定された場合、前記記録手段による録画を開始し、録画中に前記操作入力手段により選局操作がされた場合、選局操作により選局された放送信号の録画を開始し、録画中に前記操作入力手段により選局操作または放送受信装置をスタンバイ状態にする操作がされた場合、当該操作が行われた時点で記録媒体にオフタイマー録画されていたデータを削除するように制御し、
前記信号処理手段から出力される出力信号に基づいて、番組終了時刻を判別し、
オフタイマー設定時刻になったと判定された時点で録画されていた番組の終了が判別された場合、録画を終了するように制御する、
ことを特徴とする録画制御方法。
【手続補正２】
【補正対象書類名】明細書
【補正対象項目名】００１０
【補正方法】変更
【補正の内容】
【００１０】
本発明の一実施形態としての放送受信装置は、放送信号を受信する受信手段と、前記受信手段で受信した放送信号に所定の信号処理を施す信号処理手段と、前記信号処理手段から出力された出力信号を記録媒体に録画する録画手段と、操作入力を操作信号に変換する操作入力手段と、前記操作入力手段からの操作信号に基づいてオフタイマー機能を管理するオフタイマー管理手段と、前記オフタイマー管理手段によりオフタイマー設定時刻が設定された場合、前記記録手段による録画を開始し、録画中に前記操作入力手段により選局操作がされた場合、選局操作により選局された放送信号の録画を開始し、録画中に前記操作入力手段により選局操作または放送受信装置をスタンバイ状態にする操作がされた場合、当該操作が行われた時点で記録媒体にオフタイマー録画されていたデータを削除するように制御するオフタイマー録画制御手段と、前記信号処理手段から出力される出力信号に基づいて、番組終了時刻を判別する番組判別手段と、を具備し、前記オフタイマー録画制御手段は、前記オフタイマー管理手段によりオフタイマー設定時刻になったと判定された時点で録画されていた番組の終了が前記番組判別手段により判別された場合、録画を終了するように制御する。
【手続補正３】
【補正対象書類名】明細書
【補正対象項目名】００１１
【補正方法】変更
【補正の内容】
【００１１】
また、本発明の一実施形態としての録画制御方法は、放送信号を受信する受信手段と、前記受信手段で受信した放送信号に所定の信号処理を施す信号処理手段と、前記信号処理手段から出力された出力信号を記録媒体に録画する録画手段と、操作入力を操作信号に変換する操作入力手段とを具備する放送受信装置に用いられる録画制御方法であって、前記操作入力手段からの操作信号に基づいてオフタイマー機能を管理し、オフタイマー設定時刻が設定された場合、前記記録手段による録画を開始し、録画中に前記操作入力手段により選局操作がされた場合、選局操作により選局された放送信号の録画を開始し、録画中に前記操作入力手段により選局操作または放送受信装置をスタンバイ状態にする操作がされた場合、当該操作が行われた時点で記録媒体にオフタイマー録画されていたデータを削除するように制御し、前記信号処理手段から出力される出力信号に基づいて、番組終了時刻を判別し、オフタイマー設定時刻になったと判定された時点で録画されていた番組の終了が判別された場合、録画を終了するように制御する。